(57)【特許請求の範囲】
【請求項１】
被取付部材をパネルに取り付ける場合に用いられ、上下貫通した筒状胴部及び前記胴部の上外周に設けられたフランジ部を有し、前記胴部がパネルの取付孔に抜け止めされる雌部材と、径大な頭部及び前記胴部に抜け止め可能に挿入される軸部を有する雄部材とからなるクリップにおいて、
前記雌部材は、前記胴部の周囲に突設されて前記パネルの取付孔に圧接しつつ胴部内へ縮径しかつ該取付孔を通過したときに復元されて係合可能な取付爪と、前記胴部の先端側に設けられた係止爪とを有し、
前記雄部材は、前記雌部材のフランジ部の内径側に小片状脆弱部を介し連結され、該脆弱部が前記取付爪を前記パネルの取付孔へ圧入係合する際の押圧力より強く、該押圧力より若干大きな押し力で切断可能に形成されているとともに、前記軸部の前記胴部に挿入される軸部分のうち、上軸部分に前記取付爪の縮径を規制する外径を有し、かつ下軸部分に前記係止爪と係合する被係合部を形成している、ことを特徴とするクリップ。
【請求項２】
前記被係合部は、前記軸方向に沿って略等間隔で複数形成されており、前記被取付部材の厚さ等に応じた適位置のものが前記係止爪と係合される請求項１に記載のクリップ。
【請求項３】
前記被係合部が、前記胴部の内径と略等しい外径の鍔部同士の間、及び最上段の鍔部の上に設けられている請求項２に記載のクリップ。
【請求項４】
前記取付爪は、前記胴部に略コ形のスリットを介し区画されていると共に、基端を胴部の肉厚より薄くした揺動片の自由端側に設けられ、前記胴部内への縮径を伴って前記パネルの取付孔に押し入れられる請求項１から３の何れかに記載のクリップ。
【発明の詳細な説明】
【０００１】
【産業上の利用分野】
本発明は、被取付部材を取付パネルに取り付けるクリップのうち、特に取付用孔への押圧操作により取付可能なクリップに関するものである。
【０００２】
【従来の技術】
この種のクリップは部材数から分類すると、図６（ａ）に例示される単一部材のもの、同（ｂ）に例示される２部材のものに大別される。前者のクリップ５０は、頭部５１及び軸部５２からなり、軸部５２に対し孔係止用鍔部５３を上下多段に設けたものである。そして、クリップ５０は、被取付部材Ｍが取付パネルＰに重ねられた状態から、軸部５２の取付孔Ｍ1，Ｐ1への押し込みより被取付部材Ｍを取付パネルＰに取り付ける。取付操作では、軸部５２が鍔部５３の揺動変位を伴って取付孔Ｍ1，Ｐ1に押し入れられ、頭部５１が被取付部材Ｍに当たることで取付完了となる。これに対し、後者のクリップ６０は、上下貫通した筒状胴部６２及び胴部６２の上外周に設けられたフランジ部６６を有した雌部材６１と、フランジ部６６及び胴部６２に抜け止め可能に挿入される軸部６７を有する雄部材６５とからなる。胴部６２は、縦スリットで複数の揺動片６４に分割され、又、該揺動片６４の突出端に設けられた係止爪６４ａを有している。軸部６７は、略中間周囲部に設けられた本止め溝６９及び先端周囲部に設けられた仮止め凹部６８を有しており、胴部６２の筒内に入れられたときに、係止爪６４ａが仮止め凹部６８に係合した仮止め状態（揺動片６４が拡径変形されていない状態）から、更なる押し込みにより同図の如く本止め溝６９に係合される。従って、このクリップ６０は、前記仮止め状態で取付孔Ｍ1，Ｐ1へ挿入された後、雄部材６５の胴部６２内への押し込み操作により被取付部材Ｍを取付パネルＰに取り付ける。取付操作では、軸部６７が揺動片６４の揺動変位を伴って胴部６２内へ押し入れられ、本止め溝６９が係止爪６４ａと係合することで取付完了となる。
【０００３】
【発明が解決しようとする課題】
上記したクリップ５０の固定又は係止力（以下、固定保持力という）は、取付孔Ｍ1，Ｐ1の孔径に対する鍔部５３の揺動変位量に比例し、鍔部５３が孔径よりも大きくかつ厚肉になるほど強固となる。ところが、この構造では、取付孔Ｍ1，Ｐ1に対する軸部５２の押入力と引き抜き力との差が小さく、取付性を向上させるため押入力を小さくなるよう設計すると、固定保持力も低下してしまう。また、取付孔Ｍ1，Ｐ1の孔径バラツキに起因した固定保持力の変動が顕著となる。取付作業では、軸部５２の挿入終了時の節度感に欠け、取付状態で頭部５１が被取付部材Ｍに密接しない状態となる虞もある。
【０００４】
上記クリップ６０の固定保持力は、取付孔Ｍ1，Ｐ1の孔径に対する揺動片６４の変位量及び本止め溝６９と係止爪６４ａとの係合力に比例する。同時に、雄部材６５は仮止め状態から揺動片６４の揺動を伴って本止め状態に切り換えられ、本止め状態において揺動片６４の縮径方向への変位が軸部６７の存在により規制されるため、前記した節度感に優れ、かつ固定保持力を押入力より大きくできる。ところが、この構造では、例えば、被取付部材Ｍが車両天井トリム材やサイドトリム材であり、取付パネルＰとなるルーフパネルやサイドパネルに対し複数個で取り付けられるような仕様の場合、クリップ６０が仮止め状態から取付孔Ｍ1，Ｐ1へ挿入されただけだと抜け落ちたり傾くため、各クリップ６０を順に取付孔Ｍ1，Ｐ1へ挿入し、直ちに本止め状態へ押操作しなければならない。即ち、取付作業では、各クリップ６０を取付孔Ｍ1，Ｐ1に仮止めしておき、その後、各クリップ６０を本止め状態にできず作業手順等が制約される。また、この構造では、揺動片６４の拡径変位量を大きくし固定保持力をより強固にすると、雄部材６５の押入力も強くなり作業性が悪くなる。しかも、被取付部材Ｍや取付パネルＰの厚さが異なる場合、揺動片６４の変位量が変化し、固定保持力も変動するため汎用性に欠ける。
【０００５】
本発明は上記したような課題を解消することを目的としている。具体的には、上記した両クリップ５０，６０の利点を具備し、同時にクリップ５０，６０の持つ問題も全て一掃して取扱性、取付作業性、汎用性、固定保持力に優れたクリップを実現することにある。他の目的は以下の内容説明の中で順次明らかにして行く。
【０００６】
【課題を解決するための手段】
上記目的を達成するため本発明は、図面に例示される如く、被取付部材２をパネル３に取り付ける場合に用いられ、上下貫通した筒状胴部１１及び前記胴部１１の上外周に設けられたフランジ部１２を有し、前記胴部１１がパネル３の取付孔３ａに抜け止めされる雌部材１０と、径大な頭部２１及び前記胴部１１に抜け止め可能に挿入される軸部２２を有する雄部材２０とからなるクリップ１において、前記雌部材１０は、前記胴部１１の周囲に突設されて前記パネル３の取付孔３ａに圧接しつつ胴部内へ縮径しかつ該取付孔３ａを通過したときに復元されて係合可能な取付爪１４ａと、前記胴部１１の先端側に設けられた係止爪１５とを有し、前記雄部材２０は、前記雌部材１０のフランジ部１２の内径側に小片状脆弱部１３を介し連結され、該脆弱部１３が取付爪１４ａを前記パネル３の取付孔３ａへ圧入係合する際の押圧力より強く、該押圧力より若干大きな押し力で切断可能に形成されているとともに、前記軸部２２の前記胴部１１に挿入される軸部分のうち、上軸部分２２ａに前記取付爪１４ａの縮径を規制する外径を有し、かつ下軸部分２２ｂに前記係止爪１５と係合する被係合部２６を形成していることを特徴としている。
【０００７】
以上のクリップ構造によれば、雌部材１０は胴部１１が被取付部材２及びパネル３の各取付孔２ａ，３ａに挿入されて抜け止めされる。挿入過程では、取付爪１４ａが胴部１１の取付孔内への挿入に伴って胴部内へ縮径しつつ取付孔を通過し、完全に通過した時点で弾性復元されて取付孔３ａの孔縁に係合される。その後、雄部材２０は胴部１１内へ押圧操作され、係止爪１５と被係合部２６の係合により抜け止めされる。押圧過程では、上軸部分２２ａが胴部１１の内周に接しつつ胴部内を前進し、被係合部２６が係止爪１５に節度感を持って係合する。この構造の利点は、まず、取付爪１４ａが雌部材１０の取付時に胴部１１の内側に縮径され、雄部材２０の押し入れにより胴部内への縮径が不可能になるため、図６（ｂ）のクリップに対し取付爪１４ａの張出量を大きくしてパネル側への固定力を増大しても押圧力を小さく抑えることができる。雄部材２０は、前記雌部材１０のフランジ部１２の内径側に小片状脆弱部１３を介し連結され、該脆弱部１３が取付爪１４ａを前記パネル３の取付孔３ａへ圧入係合する際の押圧力より強く、該押圧力より若干大きな押し力で切断可能に形成されている構成である。この構成では、雌・雄部材１０，２０が脆弱部１３を介し一体に形成されて管理や取扱性に優れているだけではなく、被取付部材２の取付操作において、雌部材１０が雄部材２０を介した押圧操作によりパネル３の取付孔３ａに取付可能とし、同時に、雄部材２０の連続した押圧操作により被取付部材２をパネル３に被係合部２６と係止爪１５の係合を介し取付可能にする。この場合、雄部材２０は、雌部材１０の内径側に脆弱部１３を介し連結されているため、脆弱部１３の切断と共に胴部１１内へ確実に押し入れられる。また、雄部材２０は、被係合部２６を軸部２２の下軸部分２２ｂに形成しているため、図６（ｂ）のように軸部途中に本止め溝６９を有する形態よりも、胴部１１内への挿入性に優れ、請求項２等の如く被係合部２６を複数段に付設することも可能となる。
【０００８】
以上の発明は請求項２〜４の如く具体化されることがより好ましい。即ち、
・第１に、前記被係合部２６は、前記軸方向に沿って略等間隔で複数形成されており、前記被取付部材２の厚さ等に応じて適位置のものが前記係止爪１５と係合される構成である。これは、図５に例示される如く、被取付部材２が厚さの異なる場合でも、同じ固定保持力でパネル３へ取付可能とし汎用性を付与できる利点がある。
・第２に、前記被係合部２６が、胴部１１の内径と略等しい外径の鍔部２５同士の間、及び最上段の鍔部２５の上に設けらている構成である。これは、鍔部２５という簡易な構成により、前記汎用性を実現し、しかも胴部１１内への挿入性、係止爪１５との安定・強固な係合を得られるようにする。
・第３に、前記取付爪１４ａは、前記胴部１１に略コ形のスリット１６を介し区画されていると共に、基端１４ｂを胴部１１の肉厚より薄くした揺動片１４の自由端側に設けられ、基端１４ｂの揺動を介した胴部１１内への縮径を伴って前記パネル３の取付孔３ａに押し入れられる構成である。これは、取付爪１４ａの張出量を大きくしてパネル３に対する固定力を増大する場合にも、揺動片１４が薄肉となった基端１４ｂの存在により胴部１１内へ容易に揺動されるようにし、パネル３側への取付性を良好にする。
【０００９】
【発明の実施の形態】
本発明の形態例を図面を参照しながら説明する。図１は発明を適用したクリップの概略外観図である。図２は該クリップの細部を示し、同（ａ）は正面図、同（ｂ）は側面図、同（ｃ）は下面図、同（ｄ）は（ａ）Ａ−Ａ線に沿って一部を切断した図である。図３は各部を拡大して示し、同（ａ）は図２（ａ）Ｂ−Ｂ線に沿う拡大断面図、同（ｂ）は図２（ａ）Ｃ−Ｃ線に沿う拡大断面図、同（ｃ）は図２（ｂ）Ｄ−Ｄ線拡大断面図である。図４（ａ）〜（ｄ）はクリップの使用手順例を示している。図５（ａ）と（ｂ）はクリップの他の作動例を示している。以下の説明ではクリップ構造を詳述した後、使用例及び作動に言及する。
【００１０】
（クリップ構造）形態例のクリップ１は、プラスチック製の射出成形品であり、雌部材１０及び雄部材２０が脆弱部１３を介在して一体形成されている。図面上では拡大しているが、成形状態において雌部材１０が約１０〜１５ｍｍ、雄部材２０が１５〜２０ｍｍ、全寸で２５ｍｍ〜３０ｍｍ程度の小さなものとなっている。但し、大きさは適宜に変更される。
【００１２】
このうち、雌部材１０は、筒状胴部１１及び胴部１１の上外周に突設されたフランジ部１２で概略的な輪郭を形成している。胴部１１は、周囲に設けられて対向している対の揺動片１４と、先端内側に設けられた係止爪１５とを有している。各揺動片１４は、胴部１１の対応部に設けられた略コ形のスリット１６により区画され、図２（ｄ）等の如く下からフランジ部１２に近づくに従って外へ張り出し、突出端又は自由端側に段差状の取付爪１４ａを形成している。即ち、スリット１６は、胴部１１の上下中間より下側から上端側に位置し、コ形の中間片部をフランジ部１２に接近し、両片部を上下に配置した状態となっている。揺動片１４は、スリット１６内にあって、下側の基端１４ｂが胴部１１の肉厚よりも薄く形成されて揺動変位し易くなっている。係止爪１５は、胴部１１の先端周囲のうち、揺動片１４の真下に位置する先端内側を内径側へ突出した状態で設けられている。この係止爪１５は、両側に設けられた縦溝１７の間に位置し、両縦溝１７の間の胴部部分を介し若干揺動変位可能となっている。フランジ部１２は、スリット１６の対応部が少し欠肉されていると共に、胴部１１と略連続する筒内ないしは内径を有している。この内径には、周囲を３等分する箇所に小片状の脆弱部１３が突出され、脆弱部１３を介し雄部材２０と連結されている。符号１８は孔又は開口部である。
【００１３】
雄部材２０は、頭部２１及び胴部１１に挿入される軸部２２を有している。頭部２１は、被取付部材２の取付孔２ａより大きな円形状に形成されている。軸部２２は、胴部１１に挿入される軸部分のうち、上軸部分２２ａが取付爪１４ａの胴部１１内への縮径を規制する箇所であり、下軸部分２２ｂが係止爪１５と係合する被係合部２６を形成している。上軸部分２２ａは、横断面が図３（ａ）の如く略十字状をなし、左右前後に突出した状態で上下方向へ延びる４個の規制片２３で構成されている。各規制片２３は、図２の如く下部分の径小垂直部２３ａと、径小垂直部２３ａから上に向かって次第に径大となるテーパー部２３ｂと、頭部２１の下面に連結した上部分の径大垂直部２３ｃとからなる。径大垂直部２３ｃは、前記した取付爪１４ａの内側縮径を規制する箇所となる。径小垂直部２３ａは下軸部分２２ｂと連結されている。下軸部分２２ｂは、上下方向に沿って多段に設けられた複数の鍔部２５を有している。各鍔部２５は、胴部１１の内径と同じか、若干小さな外径の円状に形成されている。鍔部２５同士の間は、鍔径に応じた径小部となっており、該径小部が係止爪１５と係合される被係合部２６となる。この形態では、鍔部２５が４段で構成されており、係止爪１５が鍔部２５同士の間の３個の被係合部２６と、最上段の鍔部２５上の径小部である被係合部２６との合計４箇所で構成されている。なお、鍔部２５は、円状の一部にスリットを付設し、弾性変位をし易くすることもある。下軸部分２２ｂの最下側は、鍔部２５よりも径小の筒状連結部２２ｃになっている。この連結部２２ｃは、雌部材１０のフランジ部１２の内径に遊びを持って挿入されると共に、周囲部が前記した脆弱部１３に連結されている。従って、雄部材２０は、脆弱部１３を介し雌部材１０に連結支持された状態で、胴部１１及びフランジ部１２の孔中央部上に起立されている。
【００１４】
（使用例及び作動）図４及び図５は、上記クリップを用いて被取付部材をパネルに取り付けるときの操作要領を示している。なお、図５のクリップ１は、上記した揺動片１４の基端１４ｂの肉厚を胴部１１と同じくした形態であるが、実質的に同じものである。この例では、被取付部材２が車両の天井トリム材、パネル３が車体ルーフパネルを想定している。但し、本発明において、被取付部材２及びパネル３はこれ以外でもよい。また、被取付部材２は、天井トリム材等の如く単一部材に限らず複数部材でもよい。被取付部材２とパネル３は、面接触される態様、間にスペーサ等の部材が介在される態様等であっても差し支えない。
【００１５】
被取付部材２は、パネル３に重ねられ取付孔２ａが取付孔３ａに一致するよう位置だしされる。その状態から、作業者はクリップ１を図４（ａ）の如く取付孔２ａ，３ａに差し込む。この場合は、例えば雄部材２０の頭部２１を摘み、雌部材１０の先端側を取付孔２ａ，３ａに挿入し矢印方向へ押圧する。すると、雌部材１０は、揺動片１４が取付孔３ａに当たるまで落ち込んだ後、押圧力Ｆ1により揺動片１４が胴部１１内へ縮径しながら取付孔３ａを通過し、通過完了と同時に当初の形状に復元され、図４（ｂ）の如く取付爪１４ａが取付孔３ａの孔縁と係合する。この係合構造では、軸部２２が胴部１１内に未だ挿入されておらず揺動片１４の内側への縮径が規制されないため、取付爪１４ａの突出量を大きくしても比較的弱い押圧力Ｆ1で係合できる。反面、雌部材１０は取付爪１４ａと取付孔３ａとの係合を介しパネル３に取り付けられているが、揺動片１４が胴部１１の内部へ縮径可能なため固定力が弱い。但し、この取付状態では、被取付部材２が天井トリム材の如くパネル３の下側にあり、クリップ１が吊り下げ状態となる場合でも取付爪１４ａが取付孔３ａに一旦係合されると、手を離しても取付孔３ａから不用意に外れない。このため、多数のクリップ１を使用するときは、各クリップ１を図４（ｂ）の状態にした後、次の固定作業を行うことも可能である。
【００１６】
作業者は図４（ｂ）の状態から、雄部材２０を押圧力Ｆ2で押すと、脆弱部１３が切断され、該切断により軸部２２が胴部１１内へ落ち込み図４（ｃ）の如く最下段の鍔部２５が係止爪１５に規制される。ここでの押圧力Ｆ2は、脆弱部１３を切断する力であり、前記した押圧力Ｆ1より大きくなるよう設定されている。そして、雄部材２０は、図４（ｃ）の状態から更に矢印方向へ押されると、同（ｄ）の如く最下段の鍔部２５、その上の鍔部２５と言うように揺動変位しつつ係止爪１５を順に乗り越える。この押圧力Ｆ3は、鍔部２５が係止爪１５を乗り越える力であり、押圧力Ｆ2よりも小さく設定されている。しかし、この押圧力Ｆ3としては、固定保持力をより増大するときには押圧力Ｆ2より大きく設定されることもある。何れであっても、作業者は鍔部２５が係止爪１５を乗り越える際にクリック感が得られる。そして、頭部２１が被取付部材２に当接した段階で該当するクリップ１の取付作業を完了することになる。図５（ａ）は、このようにして被取付部材２がパネル３にクリップ１で取り付けられた状態を示している。この例では、係止爪１５が最上段の鍔部２５の上にある被係合部２６と係合している。
【００１７】
ところで、被取付部材２としては、対象部材によって板厚寸法が図５（ａ）のＴ1と、図５（ｂ）のＴ2の例の如く異なったり、同一部材であっても板厚が部分的にＴ1とＴ2の如く異なることがある。以上のクリップ１は、そのような場合においても、同じ固定保持力で被取付部材２をパネル３に固定することができる。即ち、この構造では、被係合部２６が上下多段に設けた鍔部２５同士の間、最上段の鍔部２５の上径小部、最下段の鍔部２５の下径小部で複数形成されており、又、係止爪１５が胴部１１の先端内側に設けられて前記被係合部２６の任意の箇所のものと係合されるため、被取付部材２の板厚に左右されずクリップ１の固定保持力を得ることができ、汎用性に優れている。また、汎用性の点では、雌部材１０のフランジ部１２が被取付部材２の取付孔２ａより小さくなっていると、図５から明らかな如く被取付部材２の板厚に左右されず、雌部材１０のパネル３への固定力及び被係合部２６と係止爪１５の係合力を常に同程度に得られるため、前記の被係合部２６の複数構成に加え発明品の汎用性をより高めることができる。
【００１８】
【発明の効果】
以上説明した通り、本発明のクリップは、雌部材のパネルへの取付時に取付爪が胴部の内側に縮径され、雄部材の押圧により胴部内への縮径が不可能になるため取付爪の張出量を大きくしてパネル側への固定力を増大しても押圧力を小さくでき、又、雄部材が被係合部を軸部の下軸部分に形成しているため胴部内への挿入性に優れ、被係合部を複数段に付設することも可能にする。これにより、本発明品は、図６の単一部材クリップと、雄・雌部材からなるクリップの各利点を具備し、加えて取扱性、取付作業性、汎用性、固定保持力においてより改善できる。
【図面の簡単な説明】
【図１】  発明形態のクリップを示す外観図である。
【図２】  図１のクリップの細部を示す図である。
【図３】  図１のクリップの要部を断面した拡大図である。
【図４】  図１のクリップの使用例を示す作動説明図である。
【図５】  図１のクリップの他の使用例を示す作動説明図である。
【図６】  従来クリップの２例を示す参考図である。
【符号の説明】
１…クリップ
２…被取付部材（２ａは取付孔）
３…パネル（３ａは取付孔）
１０…雌部材
１１…胴部
１２…フランジ部
１３…脆弱部
１４…揺動片（１６はスリット、１４ａは取付爪、１４ｂは基端）
１５…係止爪
２０…雄部材
２１…頭部
２２…軸部（２２ａは上軸部分、２２ｂは下軸部分）
２５…鍔部
２６…被係合部
【図１】
0004460192.tif 000002
【図２】
0004460192.tif 000003
【図３】
0004460192.tif 000004
【図４】
0004460192.tif 000005
【図５】
0004460192.tif 000006
【図６】
0004460192.tif 000007